(57)【要約】【課題】部屋の使用目的によって、その部屋に出入りする開口部分の位置を変更できる開口付間仕切りを提供すること。【解決手段】開口付間仕切り１は、方形状の間仕切り枠１２が設けられ、前記間仕切り枠１２内に間仕切りパネル１４が設けられ、前記間仕切りパネル１４と間仕切り枠の側部（縦枠１９，２０）の少なくとも一方との間に開口（５２，５８）が設けられている。しかも、前記間仕切りパネル１４は前記間仕切り枠１２の両側部（縦枠１９，２０）間の任意の位置に着脱可能に装着されている。【選択図】  図１１
2005097982.tif 000002
【特許請求の範囲】
【請求項１】
方形状の間仕切り枠が設けられ、前記間仕切り枠内に間仕切りパネルが設けられ、前記
間仕切りパネルと間仕切り枠の側部の少なくとも一方との間に開口が設けられた開口付間
仕切りにおいて、
前記間仕切りパネルは前記間仕切り枠の両側部間の任意の位置に着脱可能に装着されて
いることを特徴とする開口付間仕切り。
【請求項２】
前記間仕切り枠の上下には長手方向両端まで延びるレールが設けられ、前記間仕切りパ
ネルは前記レールを介して間仕切り枠の両側部間の任意の位置に着脱可能に装着されてい
ると共に、前記開口に配設した戸板の上下端部が前記レールにスライド可能に支持されて
いることを特徴とする請求項１に記載の開口付間仕切り。
【発明の詳細な説明】
【技術分野】
【０００１】
この発明は、隣接する部屋間に設ける開口付間仕切りに関するものである。
【背景技術】
【０００２】
近年、可変性のある構造の建物が求められている。例えば、隣接する部屋同士の間に間
仕切を設けた建物において、隣接する部屋の一方の寸法を広げるために、間仕切りを他方
の部屋側に移動して固定できるようにした間仕切り取付構造が知られている（例えば、特
許文献１参照）。
【特許文献１】特開平８−３２６４２７号公報
【発明の開示】
【発明が解決しようとする課題】
【０００３】
ところで、部屋の使用目的によって、その部屋に出入りする開口部分の位置を変更した
いことがある。
【０００４】
しかしながら、上述した間仕切り取付構造では、隣接する部屋の一方の寸法を広げるこ
とはできるものの、部屋に出入りする開口部分の位置を変更することができないものであ
った。
【０００５】
そこで、この発明は、部屋の使用目的によって、その部屋に出入りする開口部分の位置
を変更できる開口付間仕切りを提供することを目的とするものである。
【課題を解決するための手段】
【０００６】
この目的を達成するため、請求項１の発明は、方形状の間仕切り枠が設けられ、前記間
仕切り枠内に間仕切りパネルが設けられ、前記間仕切りパネルと間仕切り枠の側部の少な
くとも一方との間に開口が設けられた開口付間仕切りにおいて、前記間仕切りパネルは前
記間仕切り枠の両側部間の任意の位置に着脱可能に装着されている開口付間仕切りとした
ことを特徴とする。
【発明の効果】
【０００７】
この構成によれば、間仕切りパネルは前記間仕切り枠の両側部間の任意の位置に着脱可
能に装着されている構成としたので、部屋の使用目的によって、その部屋に出入りする開
口部分の位置を変更できる。
【発明を実施するための最良の形態】
【０００８】
以下、この発明の実施の形態を図面に基づいて説明する。
【０００９】
図１は、この発明に係る開口付間仕切り１の正面図である。この開口付間仕切り１は、
図２〜図４に示した浴室（部屋）２と居室（部屋）３とを区画している。
【００１０】
図２において、４，５は浴室２の側壁、６，７は居室３の側壁である。また、図３，図
４において、８は浴室２の天井、９は浴室２の下端の防水性の浴室床（防水床）、１０は
居室３の天井、１１は居室３の下端の居室床である。
【００１１】
また、開口付間仕切り１は、図１に示したように間仕切り枠１２と、戸板１３と、間仕
切りパネル１４と、ガラス製の欄間１５を有する。この間仕切り枠１２は、第１，第２の
上枠１６，１７と、下枠としての下レール１８と、上枠１６，１７と下レール１８の端部
間を連設する縦枠１９，２０を有する。尚、欄間１５は第１，第２上枠１６，１７間に装
着されている。
【００１２】
下レール１８の下方には図３，図４に示したような排水設備２１が配設されている。こ
の排水設備２１は、下レール１８に沿ってレールの下方に配設された排水樋２２と、排水
樋２２から下水等まで延設された排水パイプ２３を有する。
【００１３】
下レール１８の上面には、図５，図６に示したように浴室２側の側縁のフランジ１８ａ
、居室３側の側縁のＬ字状のレール部１８ｂ、及びフランジ１８ａとレール部１８ｂとの
間に設けられたレール突部１８ｃ，１８ｄを有する。そして、フランジ１８ａとレール突
部１８ｃとの間、レール突部１８ｃ，１８ｄ間、レール突部１８ｄとレール部１８ｂとの
間にはそれぞれレール溝２４，２５，２６が形成されている。尚、レール溝２４，２５，
２６は下レール１８の長手方向両端まで延設されている。
【００１４】
そして、フランジ１８ａのレール溝２４側の部分及びレール突部１８ｃのレール溝２５
側の部分にはシール部材２７，２８が取り付けられ、レール突部１８ｃのレール溝２４側
の部分及びレール突部１８ｄのレール溝２５，２６側の部分にはブラシ２９，３０，３１
が取り付けられている。尚、シール部材２７，２８及びブラシ２９〜３１は下レール１８
の長手方向両端まで延設されている。
【００１５】
また、上枠１７には図３，図４に示したように下方に向けて開口し長手方向両端まで延
びる取付溝３２が形成され、取付溝３２内には上枠１７の長手方向両端まで延びる上レー
ル３３が取り付けられている。この上レール３３は、図７，図８に示したように側壁３３
ａ，３３ｂ及び上壁３３ｃを有する。
【００１６】
そして、側壁３３ａ，３３ｂの上下方向中間部には互いに接近する方向に突出するレー
ルフランジ３４，３５及び上壁３３ｃから下方に延設されたＬ字状の中間壁３６を有する
。この中間壁３６の下端にはフランジ３５側に向けて突出するレールフランジ３６ａが一
体に設けられている。尚、レールフランジ３４，３５，３６ａは上レール３３の長手方向
両端まで延設されている。
【００１７】
また、レールフランジ３４，３５の縁部には上方に突出するレール突部３７，３８が形
成され、レールフランジ部３６ａにはレール突部３９が形成されている。また、レールフ
ランジ３４，３５，３６ａの下面にはブラシ４０，４１，４２がそれぞれ取り付けられて
いる。尚、レール突部３７〜３９及びブラシ４０〜４２は上レール３３の長手方向両端ま
で延設されている。
【００１８】
間仕切りパネル１４は、図１に示したように側枠４３，４４と、側枠４３，４４の上部
間に設けられたサッシュ枠４５と、サッシュ枠４５に装着された窓ガラス４６と、側枠４
３，４４の下部間に設けられた下パネル部４７を有する。
【００１９】
また、図３，図８に示したように、サッシュ枠４５の上サッシュ枠４５ａ及び側枠４３
，４４には、上方に開放する固定具配設溝４８が形成されている。しかも、この固定具配
設溝４８は、上サッシュ枠４５ａの長手方向に延設されて側枠４３，４４の側面に開放し
ている。また、固定具配設溝４８の幅は上レール３３の側壁３３ａ，３３ｂ間の間隔と一
致させられている。
【００２０】
そして、固定具配設溝４８には図８に示したように板状の金属製の固定具４９の下部が
嵌合配設され、上レール３３の側壁３３ａ，３３ｂの下部間には固定具配設溝４８の上部
が嵌合配設されている。この固定具４９の上面にはブラシ４０〜４２が当接させられてい
る。
【００２１】
尚、固定具４９は、図示しない固定用ビスで上サッシュ枠４５ａにこれの下方から固定
することもできる。この場合には、固定用ビスを取り外すことで、固定具４９を側枠４３
又は４４（図１では側枠４４側）の側方に引き出すことが可能である。また、固定具配設
溝４８の側枠４３の側面への開口（図示せず）を図示しない板状の蓋体で覆うと共に、こ
の蓋体を固定用ビスで側枠４３に固定することで、固定具４９を固定具配設溝４８から抜
け外れないようにできる。この場合には、固定用ビスを緩めて蓋体を取り外すことで、固
定具４９を側枠４３又は４４（図１では側枠４４側）の側方に引き出すことが可能である
。更に、固定具４９は、ある程度重量があると共に長いので、固定具配設溝４８に下部を
嵌合するのみで、通常の状態で摩擦抵抗により抜け外れるのを防止できるようにすること
もできる。この場合でも、固定具４９を側枠４３又は４４（図１では側枠４４側）の側方
に簡単に引き出すことが可能である。
【００２２】
また、下パネル部４７には、図６に示したように、板状の下パネル枠５０が設けられて
いる。この下パネル枠５０は、側枠４３，４４の下端まで延設されていると共に、側枠４
３，４４の下端に長手方向端部が固定されている。この下パネル枠５０は下レール１８上
に載置されている。しかも、この下パネル枠５０には、長手方向両端まで延び且つレール
溝２４に挿入されたシール突部５１が一体に形成されている。このシール突部５１は、ブ
ラシ２９及びシール部材２７に弾接して、下レール１８と下パネル部４７の下端との間の
シールをしている。
【００２３】
尚、本実施例では、図１の左側に位置して図２，図３に示したような浴槽５２が浴室２
内に配設されているので、間仕切りパネル１４は浴槽５２に対応して配設されている。
【００２４】
更に、間仕切りパネル１４と縦枠２０との間には、図２に示したように出入り用の開口
５３が形成されている。この間仕切りパネル１４の開口５３側の縁部には浴槽５２の使用
時に用いる取手５４が図示しないビス等で着脱可能に取り付けられている。この着脱構造
には周知の構成を採用できるので、その説明は省略する。
【００２５】
また、図１の開口５３は、上述した戸板１３で開閉されるようになっている。この戸板
１３は３つの小戸板１３ａ，１３ｂ，１３ｃで開閉されるようになっている。この小戸板
１３ａ，１３ｂ，１３ｃの上端部にはレール突部３７，３９，３８にそれぞれ支持された
ガイドローラ５５，５６，５７が回転自在に取り付けられている。これにより、小戸板１
３ａ，１３ｂ，１３ｃは、上レール３３に支持されて長手方向にスライドし、図１０の開
口５８を開閉するようになっている。
【００２６】
更に、図５に示した如く小戸板１３ａ，１３ｂ，１３ｃの浴室２側の下端部にはレール
溝２４，２５，２６に挿入されたシール板部１３ａ１，１３ｂ１，１３ｃ１が設けられ、
小戸板１３ａ，１３ｂ，１３ｃの下端にはレール突部１８ｃ，１８ｄ及びレール部１８ｂ
の上面に当接するブラシ１３ａ２，１３ｂ２，１３ｃ２が設けられている。そして、シー
ル板部１３ａ１の両側にはシール部材２７及びブラシ２９が当接し、シール板部１３ｂ１
の両側にはシール部材２８及びブラシ３０が当接し、シール板部１３ａ１の浴室２側の面
にはブラシ３１が当接している。尚、５９，６０は小戸板１３ａ，１３ｃに設けた取手で
ある。
【００２７】
次に、この様な構成の開口付間仕切りの作用を説明する。
【００２８】
ところで、このような配置において、図２の浴槽５２を側壁４側から側壁５側に配置し
て図１１（ｃ）のような配置にしたい場合、間仕切りパネル１４を側壁４側に移動させれ
ばよい。
【００２９】
この場合、上述したようにして図８の固定具４９を固定具配設溝４８と上レール３３の
側壁３３ａ，３３ｂ間から取り外すことで、間仕切りパネル１４を図９及び図１１（ｂ）
の如く上枠１７と下レール１８との間から取り外すことができる。
【００３０】
この状態で、戸板１３を縦枠１９側に移動させ、間仕切りパネル１４を縦枠２０側に取
り付けることで、間仕切りパネル１４と縦枠１９との間に開口５８が形成される。
【００３１】
この間仕切りパネル１４の取り付けに際しては、間仕切りパネル１４のシール突部５１
を縦枠２０側においてレール溝１４内に配設すると共に、間仕切りパネル１４の上端部の
固定具配設溝４８を上レール３３の側壁３３ａ，３３ｂに合わせる。この状態で、固定具
４９を側枠４４側から固定具配設溝４８及び側壁３３ａ，３３ｂ間に跨って挿入して上述
したように固定することで、間仕切りパネル１４を図１０，図１１（ｃ）の如く浴槽５２
のある縦枠２０側に移動して取り付けることができる。
【００３２】
以上説明したように、この発明の実施の形態の開口付間仕切り１は、方形状の間仕切り
枠１２が設けられ、前記間仕切り枠１２内に間仕切りパネル１４が設けられ、前記間仕切
りパネル１４と間仕切り枠の側部（縦枠１９，２０）の少なくとも一方との間に開口（５
２又は５８）が設けられている。しかも、前記間仕切りパネル１４は前記間仕切り枠１２
の両側部（縦枠１９，２０）間の任意の位置に着脱可能に装着されている。
【００３３】
この構成によれば、間仕切りパネル１４は前記間仕切り枠１２の両側部（縦枠１９，２
０）間の任意の位置に着脱可能に装着されている構成としたので、部屋（浴室２，居室３
）の使用目的によって、その部屋（浴室２，居室３）に出入りする開口部分（５２又は５
８）の位置を変更できる。
【００３４】
また、この発明の実施の形態の開口付間仕切り１は、前記間仕切り枠１２の上下には長
手方向両端まで延びるレール３３，１８が設けられ、前記間仕切りパネル１４は前記レー
ル３３，１８を介して間仕切り枠１２の両側部（縦枠１９，２０）間の任意の位置に着脱
可能に装着されていると共に、前記開口（５２，５８）に配設した戸板１３の上下端部が
前記レール３３，１８にスライド可能に支持されている。
【００３５】
この構成によれば、戸板１３のレール３３，１８を利用して間仕切りパネル１４の取付
を行うことができるので、簡単な構成で間仕切りパネル１４をを間仕切り枠１２の両側部
（縦枠１９，２０）間の任意の位置に着脱可能に装着できる。
【００３６】
以上説明した実施例では、開口付間仕切り１を浴室２と居室３との間に適用した例を示
したが、必ずしもこれに限定されるものではない。例えば、開口付間仕切り１は、浴室と
洗面室（部屋）との間や、２つの居室間の間に適用しても良い。
【図面の簡単な説明】
【００３７】
【図１】この発明に係る開口付間仕切りの正面図である。
【図２】図１のＡ１−Ａ１線に沿う断面図である。
【図３】図１のＡ２−Ａ２線に沿う断面図である。
【図４】図１のＡ３−Ａ３線に沿う断面図である。
【図５】図４の矢印Ｂ１で示した部分の要部拡大断面図である。
【図６】図３の矢印Ｂ２で示した部分の要部拡大断面図である。
【図７】図４の矢印Ｂ３で示した部分の要部拡大断面図である。
【図８】図３の矢印Ｂ４で示した部分の要部拡大断面図である。
【図９】図１の間仕切りパネルの取り外しの説明図である。
【図１０】図１間仕切りパネルの取り付け例を示す説明図である。
【図１１】（ａ）は図１のＡ１−Ａ１線に沿う断面図、（ｂ）は図９のＡ４−Ａ４線に沿う断面図、（ｃ）は図１０のＡ５−Ａ５線に沿う断面図である。
【符号の説明】
【００３８】
１…開口付間仕切り
２…浴室（部屋）
３…居間（部屋）
１２…間仕切り枠
１３…戸板
１４…間仕切りパネル
１８…レール
１９…縦枠（側部）
２０…縦枠（側部）
３３…レール
５２…開口
５８…開口
【図１】
2005097982.tif 000003
【図２】
2005097982.tif 000004
【図３】
2005097982.tif 000005
【図４】
2005097982.tif 000006
【図５】
2005097982.tif 000007
【図６】
2005097982.tif 000008
【図７】
2005097982.tif 000009
【図８】
2005097982.tif 000010
【図９】
2005097982.tif 000011
【図１０】
2005097982.tif 000012
【図１１】
2005097982.tif 000013